(57)【特許請求の範囲】
【請求項１】
流入口から内部に導入された煙を発光素子及び受光素子により検知すると警報を発する煙感知器であって、
平らな設置面に前記煙感知器を装着ピンで取り付ける取付具であって前記設置面に接し、周側面を有する盤状体である設置面接触硬質部材と、その設置面接触硬質部材に設けられた弾性部材と、その弾性部材に開設され、前記装着ピンの直径よりも小さな直径を有し、前記設置面に直交する仮想線に対して傾斜して開設された斜行挿入孔とを備えて成る取付具と、
有底筒状に形成された筐体本体と、
前記有底筒状体の底部とは反対側に位置する開口部に設けられ、前記設置面接触硬質部材に向う面に煙が流通する流通面を有する煙導入基板であって前記設置面接触硬質部材に向かって開口する凹部として前記流通面に形成され、発光素子から出射する光を受光素子で受光することができる検知用筒体部を有する煙導入基板と、
前記設置面接触硬質部材の周側面端部と前記筐体本体の開口部端とが間隔を設けることにより形成され、前記検知用筒体部内に煙を案内する前記流入口と
を備えて成ることを特徴とする煙感知器。
【請求項２】
前記斜行挿入孔が、前記設置面に直交する仮想線に対して５〜４５度の傾斜角を有して成る前記請求項１に記載の煙感知器。
【請求項３】
前記煙導入基板は、前記流入口に臨むとともに前記流入口における前記筐体本体の上端縁から前記設置面接触硬質部材に向って上昇傾斜する外側法面、外側法面の上端に形成される頂部、及び前記頂部の端縁から下降傾斜する内側法面を備える堰堤部とを備え、前記流通面は前記内側法面の下端部から前記検知用筒体部に向って延在している請求項１又は２に記載の煙感知器。
【請求項４】
前記流通面は、前記流入口の下端部よりも低い位置に配置されている請求項１〜３のいずれか１項に記載の煙感知器。
【請求項５】
前記流通面は、前記検知用筒体部に向けて第１流通面、傾斜面及び第２流通面を有している請求項１〜４のいずれか１項に記載の煙感知器。
【発明の詳細な説明】
【技術分野】
【０００１】
この発明は煙感知器に関し、更に詳しくは、例えば天井面などに器具を取り付ける作業を容易に行うことができるとともに天井面などに取り付けた器具が容易に落下しないように前記器具を取り付けることのできる取付具を有することにより、例えば天井面などに容易に取り付けることができ、しかも火災発生初期に煙感知を容易に行うことのできる小型の煙感知器に関する。
【背景技術】
【０００２】
特許文献１には、「外部からの煙の侵入を許容するとともに外光の入射を防止する隔壁が形成されたラビリンス壁と、ラビリンス壁によって囲まれる煙感知室に発光素子からの光を配光する発光側の光学部材と、・・・光素子チップと、・・・光学部材と、・・・検出回路と、光素子チップ及び光素子用集積回路チップを含む検出回路の回路部品が実装・・・された回路基板とを備えて成ることを特徴とする火災感知器」が記載されている（特許文献１の請求項１２参照）。
【０００３】
この特許文献１には、火災感知器の構造に関して、以下のような記載がある。
「[段落番号００３２]
次に火災感知器の構造を図７〜図１７に基づいて説明する。この火災感知器は図７〜図９に 示すように天井面などの造営面に取着されるボディ１と、プリント基板からなり発光ダイオードＬＥＤやチップ化されたフォトダイオードＰＤや後述する煙検知 回路の回路部品が実装される回路基板２と、外部からの煙の侵入を許容するとともに外光の入射を防止するラビリンス壁９によって周りが囲まれた水平断面が略 円形の煙感知室Ｓを下面側に具備し、煙感知室Ｓ内に光学系の部品が取着されるとともに、発光ダイオードＬＥＤ及びフォトダイオードＰＤを光学系の部品と対 向させた状態で回路基板２が上面に取り付けられる光学基台３と、光学基台３に設けた煙感知室Ｓの内部に虫などが侵入するのを防止する防虫カバー４と、保護カバー５とで構成される。
[段落番号００３３]
ボディ１は略円板状の主部１ａと、主部１ａの外周縁から上方に突出する側壁１ｂとを連続一体に形成して構成され、主部１ａの下面略中央には丸穴１ｃが開口し、この丸穴１ｃ内に回路基板２が固定された光学基台３及び防虫カバー４を保持した保護カバー５の上端部が挿入され、固定される。」
要するに、この特許文献１に開示されている火災感知器は、天井に取り付けたボディーの中央部に下方に向けて突出して形成され、煙を導入する流入口を備えた保護カバーを有する。したがって、特許文献１に記載の火災感知器は、それを天井に取り付けた場合、天井面から前記保護カバーの下端までの寸法が大きいので、それを取り付ける前の室内の外観を阻害するという問題がある。また、この特許文献１には、火災感知器をどのようにして例えば天上面に取り付けるかの具体的記載がない。したがって、この火災感知器の技術分野の常識から推測にするに、天井面に木ねじでこの火災感知器を取り付けているものと思われる。そうすると、天井面に木ねじなどで火災感知器を取り付ける作業は極めて難行、かつ不便である。
【０００４】
特許文献２には、「暗箱と、発光素子と、受光素子とを備え、前記暗箱内に流入してきた煙により前記発光素子から発せられた光が散乱されたときの散乱光を、前記受光素子が受光することにより火災を感知する火災感知器において、前記暗箱の壁部は、所定の大きさの円を基本形とし、かつ、前記円の周外にその少なくとも一部が突出した形状に形成され、前記発光素子は、前記暗箱の前記突出した形状の部分に配置され、前記受光素子は、その光軸が前記円を含む平面に対してほぼ垂直であるように、暗箱外に設置されていることを特徴とする火災感知器」が記載されている（特許文献２の請求項１参照）。
【０００５】
この特許文献２においても火災感知器を例えば天井面に取り付ける仕組み乃至方法が明らかにされていない。したがって、この特許文献２における火災感知器は、前記特許文献１における火災感知器について前記したのと同様の問題を有しているものと考えられる。
【０００６】
【特許文献１】特開２００７−１３２１２号公報
【特許文献２】特開２００６−２４４５１５号公報
【発明の開示】
【発明が解決しようとする課題】
【０００７】
この発明の課題は、例えば天井への取り付け操作が容易であり、しかも器具を脱落することなく確実に装着することのできる取付具を提供することである。この発明の他の課題は、前記取付具を有することにより例えば天井面に容易に取り付けることのできる煙感知器を提供することである。この発明の更に他の課題は、前記取付具を有することにより、例えば天井への取り付け操作が容易であり、しかも脱落することなく確実に装着することができる小型の煙感知器を提供することである。
【課題を解決するための手段】
【０００８】
前記課題を解決するための手段として、
請求項１は、流入口から内部に導入された煙を発光素子及び受光素子により検知すると警報を発する煙感知器であって、
・平らな設置面に前記煙感知器を装着ピンで取り付ける取付具であって前記設置面に接し、周側面を有する盤状体である設置面接触硬質部材と、その設置面接触硬質部材に設けられた弾性部材と、その弾性部材に開設され、前記装着ピンの直径よりも小さな直径を有し、前記設置面に直交する仮想線に対して傾斜して開設された斜行挿入孔とを備えて成る取付具と、
・有底筒状に形成された筐体本体と、
・前記有底筒状体の底部とは反対側に位置する開口部に設けられ、前記設置面接触硬質部材に向う面に煙が流通する流通面を有する煙導入基板であって前記設置面接触硬質部材に向かって開口する凹部として前記流通面に形成され、発光素子から出射する光を受光素子で受光することができる検知用筒体部を有する煙導入基板と、
・前記設置面接触硬質部材の周側面端部と前記筐体本体の開口部端とが間隔を設けることにより形成され、前記検知用筒体部内に煙を案内する前記流入口とを備えて成ることを特徴とする煙感知器であり、
請求項２は、前記斜行挿入孔が、前記設置面に直交する仮想線に対して５〜４５度の傾斜角を有して成る前記請求項１に記載の煙感知器であり
請求項３は、前記煙導入基板は、前記流入口に臨むとともに前記流入口における前記筐体本体の上端縁から前記設置面接触硬質部材に向って上昇傾斜する外側法面、外側法面の上端に形成される頂部、及び前記頂部の端縁から下降傾斜する内側法面を備える堰堤部とを備え、前記流通面は前記内側法面の下端部から前記検知用筒体部に向って延在している請求項１又は２に記載の煙感知器であり、
請求項４は、前記流通面は、前記流入口の下端部よりも低い位置に配置されている請求項１〜３のいずれか１項に記載の煙感知器であり、
請求項５は、前記流通面は、前記検知用筒体部に向けて第１流通面、傾斜面及び第２流通面を有している請求項１〜４のいずれか１項に記載の煙感知器である。
【発明の効果】
【０００９】
この発明に係る取付具によると、平らな設置面例えば屋内の天井面、屋内の壁面、屋内のその他の垂直面などにおける設置面に設置面接触硬質部材を接触させ、次いで斜行挿入孔に装着ピンを圧入すると、圧入された装着ピンが設置面にも貫通する。装着ピンが設置面に貫通した状態では、装着ピンにおける斜行挿入孔に挿入された部位が弾性部材の弾力により締め付けられ、装着ピンにおける設置面に貫通する部位は設置面を形成する素材による摩擦により斜行挿入孔の軸線に沿って装着ピンを脱離する摩擦抵抗が大きくなる。また、斜行挿入孔が装着面に対する垂線に対して角度θで傾斜しているので、この取付具に、重量Ｗの物品の荷重をかけても、装着ピンにＷ・cosθの荷重と前記摩擦抵抗力との総和以上の荷重をかけない限り、装着ピンが斜行挿入孔から抜けることはない。
【００１０】
この発明に係る取付具は、木ネジを使用することがなく、したがってこの取付具を例えば天井に取り付ける場合に作業者があお向けになるという不自然な姿勢を強いられることがなく、また不自然な姿勢のままで木ねじ回転のために手首を繰り返し捻るといった煩雑で苦痛を伴う操作をする必要がなく、装着ピンを斜行挿入孔に単に押し込むことにより、例えば天井などに取り付けられることができる。
【００１１】
したがって、この発明によると、例えば天井への取り付け操作が容易であり、しかも器具を脱落することなく確実に装着することのできる取付具を提供することができる。
【００１２】
なお、この発明に係る取付具は、設置面に取り付けようとする器具を形成する部品であってもよく、また、設置面に取り付けようとする器具の部品又は一部を形成しなくてもよい。
【００１３】
この発明に係る取付具が設置面に取り付けようとする器具を形成する部品である場合のその器具として煙感知器を挙げることができる。
【００１４】
この発明に係る煙感知器は、この発明に係る取付具を具えるとともに、流入口から内部に導入された煙を検知手段により検知すると警報を発するように形成される。この場合、取付具は盤状であり、
この発明によると、例えば天井等に、木ねじで取り付けるなどの煩雑な作業をすることなく、簡単に、しかも容易に脱落不能となる状態で取り付けることのできる煙感知器が提供される。
【００１５】
この発明に係る煙感知器は、流入口が取付具における盤状体の周側面端部と有底円筒状に形成された筐体本体の開口部端とで、煙導入基板における検知用筒体部内に煙を誘導する流入口が形成されるので、この煙感知器を天井に取り付けた場合に天井面に沿って緩慢に移動する煙を容易に検知することができる。
【００１６】
また、前記煙導入基板が、外側法面、頂部及び内側法面により形成される堰堤部を備えていると、緩慢な煙の流れが堰堤部を通過することにより煙の乱流が煙感知器の内部で形成されるので検知用筒体部内に煙の粒子を確実に到達させることができる。また、煙の流入口を盤状体の周側面端部と前記筐体本体の開口部端とで形成するから、この煙感知器の周側面に流入口が形成されることとなり、しかも、煙導入基板における検知用筒体部で煙を検知するための発光素子及び受光素子を初めとする回路基板を前記煙導入基板自体に、又は煙導入基板に近接して設けることとなるので、この煙感知器全体の形状を小型にすることができる。
【発明を実施するための最良の形態】
【００１７】
この発明の煙感知器は、この発明に係る取付具と、筐体本体と、煙導入基板と、流入口とを有する。
【００１８】
図１に示されるように、前記取付具５０は、設置面８に取り付けられる。この取付具５０は、設置面接触硬質部材５１と斜行挿入孔５２を開設してなる弾性部材５３とを有する。
【００１９】
設置面接触硬質部材５１の形状は特に限定がないのであるが、通常の場合、盤状体である。その盤状体の厚みについては、この取付具５１により平らな設置面８に取り付ける器具又はこの取付具５０を部品とする器具に応じて適宜に決定される。また、この盤状体の平面形状及びその大きさについても同様である。
【００２０】
この設置面接触硬質部材５１は、器具を取り付けようとする平らな設置面８に接触する接触面を有する。この接触面の大きさなどについても特に制限がない。
【００２１】
この設置面接触硬質部材５１の平面形状についても特に制限がなく、通常の場合、その平面形状は円形である。なお、用途及びその他の事情によってこの設置面接触硬質部材の平面形状が四角形、長方形、楕円形及びその他の形状であってもよい。
【００２２】
設置面接触硬質部材５１の材質としては、ポリアクリレート、及びポリカーボネートなどの硬質合成樹脂、金属、木材などを挙げることができる。軽量であること、及び加工が容易であることなどを考慮すると設置面接触硬質部材５１の材質としては硬質合成樹脂が好ましい。
【００２３】
前記弾性部材５３が設置面接触硬質部材５１にも受けられる部位は、設置面８に懸垂し、装着する器具の大きさ、その重量などに応じて適宜に決定することができ、好適な部位として、設置面接触硬質部材５１の周側面部を挙げることができる。
【００２４】
図１に示されるように、設置面接触硬質部材５１の周側面部に、切欠凹部５４を形成し、その切欠凹部５４に脱落不能に弾性部材５３が装着される。弾性部材５３を前記切欠凹部５４に脱落不能にする手段としては、周知慣用の手段を適宜に採用することができる。
【００２５】
設置面接触硬質部材５１に設ける前記切欠凹部５４の数及び位置については、取り付けようとする器具の種類、大きさ及びその重量などに応じて適宜に決定される。通常に考えられる場合として、取付具の全体形状が円盤体であるときには、隣接する切欠凹部を結んで形成される仮想的な線図が正方形になるように４個の切欠凹部が設置面接触硬質部材に形成される。なお、場合によっては、隣接する切欠凹部を結んで形成される仮想的な線図が六角形、八角形などになるように、切欠凹部の形成位置が適宜に決定される。
【００２６】
前記弾性部材５３の材質としては、例えば軟質ポリエチレン、軟質ポリプリロピレン、ゴムなどを挙げることができる。この弾性部材５３の材質は前記例示に限らず、後述する装着ピンを圧入することのできる物質であれば良い。
【００２７】
この弾性部材５３には、斜行挿入孔５２が形成される。この斜行挿入孔５２の開口径は、挿入ピン５５の直径より僅かに小さい直径を有する。この斜行挿入孔５２の開孔径については装着ピン５５の規模、取付具５０の規模などに応じて、適宜に決定することができる。
【００２８】
この斜行挿入孔５２の好適な傾斜角度は、設置面８に直交する仮想的な直線Ｘに対して５〜４５度である。傾斜角度が５度未満であると、器具を取り付けたときにその重みによって装着ピンが脱落することがあり、傾斜角度が４５度を越えると装着ピンを挿入し、打ち込む操作が困難になることがある。
【００２９】
この発明に係る取付具５０の作用については、特に説明するまでもない。装着ピン５５を傾斜挿入孔５２に圧入すると、弾性部材５３における傾斜挿入孔５２はその直径を拡径される。傾斜挿入孔５２に装着ピン５５を圧入すると、装着ピン５５の先端部が設置面８に到達し、更に装着ピン５５の圧入を継続すると、装着ピン５５の先端部が設置面８内に挿入される。
【００３０】
装着ピン５５の頭部が弾性部材５３に接触するまで装着ピン５５を圧入するのが好ましい。装着ピン５５の圧入が完了すると、装着ピン５５は弾性部材５３の弾性力によりその傾斜挿入孔５２内で弾性部材５３により締め付けられ、また、設置面８内に挿入されている装着ピン５５の部分は設置面８の材料による摩擦力を受けているので、この取付具５０に器具を取り付け、又はこの取付具５０を部品とする器具を取り付けたとしても、器具の荷重によって装着ピン５５が傾斜挿入孔５２から抜け落ちることがない。
【００３１】
この取付具５０は、その設置面接触硬質部材に適宜の係合部材、引っ掛け部材など、例えばフックなどを取り付けると各種の器具例えば照明器具、表示部材例えば看板、装飾物例えば額縁及び写真パネルなどを平らな設置面例えば天井及び垂直な壁面などに装着することができる。
【００３２】
また、この取付具５０は、それ自体が部品となる各種感知器例えば煙感知器を、平らな前記設置面に取り付けることができる。
【００３３】
この発明に係る煙感知器は、流入口から内部に導入された煙を発光素子及び受光素子から成る検知手段により検知すると警報を発する煙感知器である。
【００３４】
このような煙感知器は、この発明に係る取付具と筐体本体とを有して形成することができる。この場合、前記取付具における設置面接触硬質部材は、周側面を有する盤状体である。そして、この盤状体と筐体本体とで、煙感知器の外観を形成する筐体が形成される。
【００３５】
前記盤状体は、周側面を有する。一方、筐体本体は有底筒状体である。筐体は、前記盤状体と筐体本体とを結合することにより形成され、盤状体の周側面端部と筐体本体である有底筒体の開口端部とが離隔していてこの周側面端部と前記開口端部とで、筐体内に煙を流入させる流入口が形成される。また、この筐体本体における開口部には、これを覆蓋するように煙導入基板が取り付けられる。
【００３６】
盤状体は、前記取付具について説明したように、設置面接触硬質部材でその主要部が形成され、この設置面接触硬質部材を設置面に取り付けるために装着ピンを挿入する斜行挿入孔が形成されている部材は弾性部材である。
【００３７】
筐体本体は、前記盤状体における設置面接触硬質部材と同様の硬質部材で形成されることができる。前記硬質部材としては、この発明の煙感知器を設置する環境において正常に作動可能である限り特に制限は無く、例えばプラスチック、木材、セラミックス及び金属等を挙げることができる。
【００３８】
盤状体と筐体本体とで形成される筐体は、前記したように、流入口を有する。この流入口は、盤状体における周側面端部の全周と筐体本体である有底筒状体の開口端部の全周とを離隔することにより形成される、筐体の周側面を一巡するように開口する開口部であるのが好ましい。筐体の周側面を一巡するように開口する流入口を有する筐体を備える煙感知器は、流入口が開口する全方向からの煙を受け入れることができて、煙感知器の軸線に直交する全方位検知が可能になる。
【００３９】
もっとも、筐体の周側面を一巡するように開口する流入口ではなく、盤状体における周側面端部の一部と有底筒状体の開口端部の一部とが離隔することにより形成される開口部が、筐体の周側面に沿って列状に配列されて成る複数の流入口が、筐体の周側面に形成されていても良い。
【００４０】
盤状体と筐体本体とで形成される筐体の形状としては、両端を閉塞する円筒形状、両端を閉塞する楕円筒形状、両端を閉塞する円錐台形状を重ねた形状及び両端を閉塞する多角筒形状等を挙げることができる。筐体における周側面の全周のいずれの方向からでも煙が流入し易い形状としては、円筒形状が好ましい。また、筐体の大きさとしては、この発明に係る煙感知器が煙を感知する機能を維持可能な大きさであれば良い。なお、この煙感知器が設置される空間例えば部屋内に存在する人にとっては、煙感知器が大型であると煙感知器の設置場所の内装が損なわれていると感じることがある。よって、この発明の煙感知器は、煙を感知し、かつ点灯装置の機能を維持しつつ、設置場所、例えば寝室及び廊下等の内装を損なわない程度に小型であることが好ましい。そのような小型の煙感知器における筐体の高さが１〜３ｃｍであるのが好ましい。
【００４１】
この筐体の周側面に流入口を設けることにより、煙感知器全体の規模を小型化にし、また煙感知器全体の形状を単純にすることができる。例えば、特許文献１に記載された火災感知器の外観形状とこの発明に係る煙感知器の外観形状とを比較すると、特許文献１に記載の火災感知器は、特許文献１における図７に示されるように、略円盤状の主部とその主部の外周縁から上方に突出する側壁とを連続一体に形成してなるボディと、前記主部の下面略中央に下方に突出する保護カバーとを備えて成ることにより、天井にこの火災感知器を取り付けた場合に下方に向って大円の円筒体と小円の円筒体とを重ねたような凸状の全体形状を有する。特許文献１に記載された火災感知器がこのような円筒体二段重ねの全体形状を有するのは、ボディの内部ではなくて保護カバーの内部にセンサーを設けているからである。
【００４２】
特許文献１に記載の火災感知器に比べてこの発明に係る煙感知器は、筐体の周側面に流入口を設けているので、特許文献１に記載の火災感知器におけるような円筒体二段重ねの全体形状に形成する必要はなく、例えば円筒体、楕円筒体、角筒体等の単純な立体形状とすることができ、しかも筐体の取付面からの高さ寸法（この寸法は、筐体を設置面に取り付けたときの設置面からの高さ寸法でもある。）を小さくすることができる。つまりは、この発明に係る煙感知器は、小型の全体形状とすることができる。
【００４３】
また、特許文献１に記載の火災感知器では、天井を低速で移動する煙を感知するのが困難である。ところが、この発明における煙感知器におけるように筐体の周側面に流入口が設けられていると、その流入口は天井に近接しているので、天井を低速で緩慢に移動する煙を容易にその流入口から筐体の内部へと導入することができる。
【００４４】
火災の初期においては煙が天井を伝って緩慢に移動する。したがって、天井に近接して、しかも天井に沿って緩慢に移動する煙を逸早く検知することができることは、火災発生を逸早く検知し、しかも人々に火災発生を迅速に知らせることになるのであるから、この発明に係る煙感知器は、火災の早期発見に寄与することができる。
【００４５】
この煙感知器は、筐体本体である有底筒状体の開口部には、煙導入基板が、開口部を閉鎖するように取り付けられている。
【００４６】
この煙導入基板は、前記盤状体に向う面に、前記流入口に臨む堰堤部と煙が流通する流通面と、筒体部とを有する。
【００４７】
前記堰堤部は、前記筐体の内部に設けられ、しかも流入口に臨んで形成される堤状部材である。この堰堤部の存在により、前記流入口から筐体内に流入した煙は、前記堰堤部を乗り越えるようにして、更に筐体内部に流通していき、次の流通面へと移動して行く。
【００４８】
堰堤部は、流入口から流入した煙の流通を維持しつつ、堰堤部を通過した煙の流れを乱す。堰堤部の好ましい態様としては、堰堤部の頂部における煙の流路の大きさ、つまり、堰堤部から盤状体までの寸法が、筐体の流入口の大きさ、つまり盤状体の下端縁から有底筒状体の上端縁までの寸法より小さく設計されている態様を挙げることができる。堰堤部の頂部における煙の流路の大きさが小さいと、流入口から流入した煙が堰堤部の頂部を流通する際に煙が圧縮され、また、堰堤部の頂部における煙の流速が大きくなり、次いで煙が堰堤部を乗り越えると圧縮状態及び高速状態が解除されるので、煙が噴流となって煙の流通状態が乱されつつ流通面上を筐体内部方向に進行する。すなわち、堰堤部の頂部における煙の流路の大きさ、乃至間隙が小さいと、堰堤部がオリフィス様の作用を奏する。
【００４９】
この発明の煙感知器を水平に設置した場合に、堰堤部は、流入口に面する外側法面と頂部である水平面と煙の圧縮状態を解除する内側法面とから成ることが好ましい。堰堤部が外側法面と水平面である頂部と内側法面とから成ることにより、筐体内に煙が流入し易く、かつオリフィス様の作用を好適に発揮することができる。堰堤部の頂部において煙が流通する流路の大きさ、つまり、堰堤部から盤状体までの寸法としては、例えば１〜５ｍｍ程度である態様を挙げることができる。煙の流路の大きさが堰堤部の頂部において１〜５ｍｍであると、低速の煙でも筐体内に流入し易い流路幅であるので、好ましい。
【００５０】
堰堤部の形状としては、堤状であり、かつ煙の流通を乱すような形状であれば良く、例えば筐体が円筒体であり、周側面の全周に亘って流入口が設けられている場合には、流入口に沿って筐体の内部に環状の堰堤部を設けることができる。
【００５１】
堰堤部の大きさは、堰堤部の頂部において煙が流通可能であれば良く、上述したように堰堤部から盤状体までの寸法が１〜５ｍｍであるのが、好ましい。なお、この発明の煙感知器における煙を感知する検知手段、例えば発光素子と受光素子との組み合わせからなる光学的検知手段などに、流入口から侵入する外乱光が投射されると、誤作動を起こす可能性があるので、この発明の煙感知器は、堰堤部を設けることにより流入口から入射する光の大部分を遮光して、外乱光による誤動作を防止することができる。
【００５２】
堰堤部の材料としては、煙により変質し難い材料が好ましく、例えばプラスチック、木材、セラミックス及び金属等を挙げることができる。筐体と堰堤部とを一体化しても良く、例えば一体成形等で形成することができる。また、堰堤部は、煙の流通を遮断しない範囲で複数個設けることができ、例えば上述した環状の堰堤部の内側に、さらに前記環状の堰堤部と同心とする環状の第２堰堤部を設けてもよい。この形態を更に一般化すると、この発明に係る煙感知器における煙導入基板は、煙導入基板における中心軸線を中心として共有する複数の環状に形成された堰堤部を備えることができる。堰堤部を複数個設けると、筐体内に侵入しようとする迷光の遮光効率が向上する。
【００５３】
前記流通面は、前記堰堤部を越えて前記筐体内に流入した煙が流通する面である。
【００５４】
流通面の形状としては、筐体内に流入した煙が堰堤部を越えた後に滞りなく流通可能であれば良い。流通面は、例えば単に平滑な平面であっても良く、煙の流通を妨げない程度に凹凸を有する凹凸面であっても良い。なお、流通面の好ましい態様としては、平面の一部に堰堤部から後述の筒体部まで延在する溝を設ける態様を挙げることができ、煙が溝に沿って流通可能なように煙の流路を形成することにより、効率的に煙を感知することができる。流通面の材料としては、煙により変質し難い材料が好ましく、例えばプラスチック、木材、セラミックス及び金属等を挙げることができる。堰堤部と流通面とを一体化しても良く、例えば一体成形等で形成することができる。
【００５５】
前記筒体部は、前記流通面の一部に設けられ、かつ前記流通面を流通した煙が流入し、かつ煙を感知するセンサを有する部位である。この発明に係る煙感知器の筐体が盤状体と有底筒状体と煙導入基板とで形成されることにより、全体として略円筒体状であるときには、煙導入基板における筒体部は、煙導入基板における中心部に設けられ、かつ盤状体に向って開口し、かつ筐体内に侵入する光、つまり外乱光が入射しない程度の深さを有するのが良い。この発明の煙感知器の内部に流入した煙は、堰堤部を乗り越えた後は流速が低下し、流通面を流通していくに従って流速が更に低下し、筐体における筒体部が設けられる部位まで到達すると、煙の粒子自身の自重で沈下して筒体部内に落下する。
【００５６】
この発明に係る煙感知器は、検知手段により煙を検知すると警報手段により警報を発する。
【００５７】
検知手段は、前記筒体部に落下する煙の粒子に光を照射する発光素子と、光照射された煙の粒子が反射する光を受光して光検知信号を出力する受光素子とを有する。この発光素子及び受光素子は、前記筒体部内に前記発光素子から出力される光を導入し、筒体内で煙の粒子により反射した光を受光素子で受光することができるように、配置される。また、筒体内には、発光素子から発する光が直接に受光素子に到達しないように、また、煙が筒体内に存在しないにもかかわらず、発光素子から発する光が迷光として受光素子に到達しないように、迷光受光素子手段（図示せず）が筒体内に設けられている。
【００５８】
前記警報手段としては、使用者が起床時及び就寝時に認識可能な警報を発することができる限り、適宜の手段を採用することができる。警報手段には、音声又は音響により警報を行う聴覚的警報手段、又は、高輝度ＬＥＤ若しくはフラッシュランプ等を用いた視覚的警報手段等を採用することができ、更には、聴覚的警報手段と視覚的警報手段との組み合わせを採用することもできる。
【００５９】
検知手段及び警報手段は、制御部により制御されることができる。
【００６０】
制御部は、前記検知手段から出力される検知信号に基づいて前記聴覚的警報手段及び／又は視覚的警報手段を制御する。例えば、この制御部は、前記検知手段が発光素子と受光素子とで形成される場合に、煙の存在を検知する検知信号が前記受光素子から出力されていないときには、前記視覚的警報手段例えば高輝度ＬＥＤを常時発光させておく制御信号を出力し、煙の存在を検知する検知信号が前記受光素子から出力されるときには、前記視覚的警報手段を点滅させる制御信号を出力するように、形成されることができる。
【００６１】
以下に、この発明の煙感知器及び点灯装置の作用を説明する。
【００６２】
先ず、この発明の煙感知器を設置する。このとき、この発明の煙感知器を設置する環境には煙が発生していないこととする。また、この発明の煙感知器が煙を感知する検知手段として、上述した光学式の検知手段を採用することとする。この発明の煙感知器を設置する場所としては、煙が流通し易い場所、例えば天井面及び壁面等を挙げることができる。設置場所について好ましくは、この発明の煙感知器の安定性等を考慮して、がたつき無く設置可能な平面が良い。
【００６３】
この発明の煙感知器が設置された場所に煙が流通すると、流入口を介して筐体内に煙が流入する。
【００６４】
筐体内に流入した煙は、堰堤部を乗り越えるようにして更に筐体の内部に流通する。煙が堰堤部を乗り越えることにより、煙の流通方向が乱れる。また、堰堤部は、筒体部に配置されるセンサが外部からの迷光により誤作動を起こすことのないように、筐体内に侵入しようとする外乱光の大部分を遮光している。
【００６５】
続いて、堰堤部を越えて更に筐体内部方向に流通する煙は、流通面上を流通することとなる。堰堤部を乗り越えた後の煙は、流通面を流通していく途中で徐々にその流速が低下していく。
【００６６】
次に、流通面を流通した煙が筒体部に流入する。筒体部は凹部であるので、煙が流通面から筒体部内に流下し易い。なお、流通面を流通して流速が低下した煙は、筒体部内に流下し易い。よって、筒体部内に煙が流入し、検知手段例えば受光センサが煙を感知することができる。
【００６７】
検知手段により煙を感知すると、検知手段例えば受光素子から検知信号が制御部に出力される。制御部は、前記検知信号の入力により煙感知と判断し、制御信号を発光部に出力して視覚的警報手段例えば高輝度ＬＥＤを発光させる。
【００６８】
ここで、この発明の煙感知器の実施態様を、図面を用いて説明する。
【００６９】
図２に示すのは、この発明の一実施例である煙感知器１である。
【００７０】
煙感知器１は、筐体２を有し、この筐体２によりこの煙感知器１の全体形状が形成される。
【００７１】
筐体２は、全体形状として両端を閉塞する略円筒形状を成す。筐体２は、取付具５０と筐体本体７とを有する。
【００７２】
図６に示されるように、取付具５０は、筐体本体７を装着するための装着開口部５６を有して略円盤形状をなす設置面接触硬質部材５７を有する。図６に示される取付具５０は、天井などの設置面に接する面が示されている。
【００７３】
図６に示されるように、装着開口部５６の内周面には、位置決め用切欠部５８が、互いに相対向して形成され、これらの位置決め切欠部５８に隣接して係合片５９がそれぞれ設けられている。これらの係合片５９それぞれは、突起６０が設けられている。この係合片５９は前記設置面接触硬質部材５７に対して弾力的に可撓することができるように、前記設置面接触硬質部材５７の軸線方向厚みよりも薄く形成されている。
【００７４】
図６、図７及び図８に示されるように、この取付具５０は、その設置面接触硬質部材５７の周側面に、軸線を中心にして互いに直角をなすように位置決めされた弾性部材装着用切欠部６１を有し、これら４個の弾性部材装着用切欠部６１には、弾性部材６２が脱落不能に取り付けられている。これらの弾性部材６２それぞれは、図１、図６〜８に示されるように、斜行挿入孔６３が開設される。弾性部材６２は、前記斜行挿入孔６３にその直径よりも僅かに大きな直径を有する装着ピン５５（図１参照）を圧入すると、装着ピン５５の外周を締め付ける力を有する程度の弾性を有する限り様々な弾性材で形成することができ、例えば軟質ポリエチレン、軟質ポリプロピレン、合成ゴム、シリコンゴム等で形成することができる。既述したように、この斜行挿入孔６３は装着ピン５５の直径よりも僅かな内径を有する。
【００７５】
筐体本体７は、一端を閉塞する有底筒体であり、その内部に後述の作動部９（図５参照）を収容している。取付具５０と筐体本体７とは、煙導入基板２９（図２、図５参照）と煙導入路天井基板４０（図４、図９参照）とで、筐体本体７の開口部側が取付具５０に臨むように、一体に結合されている。取付具５０と筐体本体７との間隙が、煙が筐体２内に流入可能な流入口１０である。よって、煙感知器１では、流入口１０が筐体２の周側面部の全周に亘って形成されることになる。そして、前記煙導入路天井基板４０の筐体本体７に向う面が流入口１０から筐体内に導入される煙が流通する空間の内部天井面１１となる
図３に示すのは、図２に示した煙感知器１を底面部１７から観察した場合の、外観図である。図３に示すように、煙感知器１は、底面部１７を横断する複数の溝部２０が設けられている。複数の溝部２０は、互いに平行でかつ一定の間隔を有している。また、溝部２０の一部には、種々の幅をもって切欠部２１が設けられている。切欠部２１は底面部１７を貫通しているので、筐体２の内部及び外部が切欠部２１により連通している。筐体２の内部及び外部が切欠部２１により連通しているので、筐体本体７に内蔵された聴覚的警報手段２２例えばスピーカの一部が前記切欠部２１を通して観察されることができ、またこの切欠部２１によって聴覚的警報手段２２の発する警報が筐体２内に篭もることなくこの煙感知器１を設置する空間に鳴り響かせることができる。底面部の視覚的警報手段１８近傍には、押ボタン２３が設けられている。押ボタン２３は、筐体本体７の周側面及び底面部１７に一致するような形状を成し、筐体２の軸方向に可動である。押ボタン２３は、例えば、視覚的警報手段１８及び聴覚的警報手段２２が警報を発した場合に警報を止める機能、視覚的警報手段１８及び聴覚的警報手段２２が正常に作動するか確認する機能及び電池の消耗を確認する機能等を備えている。
【００７６】
図５に示されるように、煙導入基板２９は、堰堤部３、流通面４及び筒体部５Ａを備える。煙導入基板２９の平面形状は円形である。
【００７７】
堰堤部３は、流入口１０から筐体２の内部でかつ内部天井面１１に向って傾斜する外側法面１２と、堰堤部３の最頂部である堤頂部１３と、堤頂部１３から筐体２の内部でかつ筐体本体７の底面に向って傾斜する内側法面１４とを有する。外側法面１２が流入口１０から堤頂部１３まで垂直に立ち上っていないのは、流入口１０から筐体２の内部に向って流通する煙を効率良く、また抵抗無く筐体２の内部に誘導することができるからである。堤頂部１３は、堰堤部３が内部天井面１１に最接近する部位である。堤頂部１３と内部天井面１１との間隔寸法は、１〜５ｍｍであるのが、好ましい。内側法面１４は、堤頂部１３を乗り越えた煙が筐体２の内部方向に円滑に流通することができるように傾斜している。もっとも、この発明の目的を達成することができる限り、外側法面１２及び内側法面１４は、傾斜させること無く、図５における鉛直方向（換言すると、筐体２の軸線方向）に設けられていても良い。
【００７８】
流通面４は、内側法面１４の下部と一体に形成されており、平滑で平らな面である。なお、図５に示す煙感知器１は、流通面４の高さが流入口１０の下端部よりも高い位置、すなわち設置面に近くなる位置となるように設計されているが、流通面４は流入口１０の下端部よりも低い位置になるように設計してもよい。これは、流入口１０と、内部天井面１１と、堰堤部３と、流通面４と、筒体部５Ａとで形成される筐体２の内部領域、特に、内側法面１４よりも中心側に、流入口１０から侵入する外乱光を侵入し難くすることができるからである。
【００７９】
図５に示されるように、筒体部５Ａは、筐体本体７の略中央部に設けられた凹部である。筒体部５Ａの外側には例えば発光素子及び受光素子からなる検知手段（図示せず。）が配置されている。発光素子及び受光素子は、煙の不存在時には発光素子からの光が受光素子に到達せず、かつ煙の存在時には発光素子からの光が煙の粒子で反射して受光素子に到達し、かつ受光素子が光を受光すると検知信号を出力するように設計される。筒体部５Ａは、凹部であるので、その内部に外乱光が侵入し難い。
【００８０】
図５に示すように、堰堤部３、流通面４及び筒体部５Ａは、一つの基板に一体化して形成されている。この基板は煙導入基板の一例である。
【００８１】
図２及び図５に示されるように、堰堤部３における、環状の平面形状をなす堤頂部１３の平面に、一定間隔で立設する多数の櫛歯からなる櫛歯列１９が、設けられている。
【００８２】
櫛歯列１９は、堤頂部１３に多数の櫛歯を一列に列設されて成ることにより、煙の流路となる間隙、すなわち堤頂部１３と内部天井面１１の流入口１０近傍との間から筐体２内部に虫及び埃等の異物を侵入不能にしている。なお、堤頂部１３における煙の流路の大きさは流入口１０よりも小さいので、堤頂部１３に設ける櫛歯列１９を形成する各櫛歯の軸線方向の長さが小さくて済み、従来のように網目状の金属薄片を煙感知器の周側面に装着する必要が無く、結果として煙感知器１の小型化に寄与することができる。
【００８３】
また、図５においては、作動部９は、堰堤部３、流通面４及び筒体部５Ａを上面に有する煙導入基板２９と筐体本体７とで形成される空間内に収容され、この煙感知器１を動作させる機能を実現する各種部品で形成される。例えば、作動部は、図示しないが、発光素子及び受光素子を駆動する電池３３、受光センサが煙を感知した場合に使用者に煙の存在を報知する視覚的警報手段（図示せず。）及び聴覚的警報手段２２、及び、受光センサから出力される検知信号を入力して、前記視覚的警報手段及び聴覚的警報手段を駆動させる制御信号を出力する制御部（図示せず。）等を有している。なお、この煙感知器１は前記視覚的警報手段及び聴覚的警報手段の両方を備えていても、またいずれか一つを備えていても良い。
【００８４】
この煙感知器１は、視覚的警報手段を備える。この視覚的警報手段は、前記制御部から出力される制御信号により発光する発光部（図示せず。）と、発光部で発光した光を集光する集光部（図示せず。）と、図２に示される放光部とを有する。
【００８５】
発光部は、筐体本体７内の適宜の位置乃至部位に設置される。
【００８６】
この発光部は、例えば高輝度ＬＥＤを用いて形成されるのが好ましい。高輝度の発光を実現することができるからである。この発光部は、制御部により、点灯及び点滅が制御される。
【００８７】
集光部は、放光部を保持するとともに、発光部により発せられた光を放光部内に効率良く導光する限り、その形状、構造等に制限がない。放光部は後にも説明するが、通常、円柱、角柱などの棒状体に形成される。集光部は、棒状体である放光部をガタつき無く装着することができるように、放光部の外周面と接触する内表面を有する筒状体として形成される。この集光部は、前記発光部１８から発光する光が漏洩しないように発光部における光放射領域を全て覆蓋するように、また、筐体２の内部で放光部の周側面から光が漏出しないように、筐体２内に存在する放光部、つまり放光部本体を全て覆蓋するように、好適にその形状が設計される。集光部は発光部及び放光部の周側面全てを覆蓋する筒状体に、設計されている。
【００８８】
この集光部を形成する材質は、この集光部に要求される技術事項を満たす限り特に制限がなく、たとえば合成樹脂、金属、セラミックス等を挙げることができる。この筒状体に形成された集光部を合成樹脂、セラミック等で形成する場合には、放光部本体の周側面から出射しようとし、或いは出射した光を前記放光部本体内に戻す必要から、筒状体である集光部の内側面は鏡面に仕上げておくことが望ましく、又内表面を白色に塗装しておくことが望ましい。このような鏡面及び白色塗装面は反射面となる。
【００８９】
放光部は、発光部から放射される光を導光してその先端にある突出部１８Ａから外部へと放射する。この放光部は透明中実体で形成されることができ、当明中実体の材質として例えば透明樹脂、ガラス等を挙げることができる。この放光部は、前記集光部に内装され、好ましくはガタつきなく装着されるので、前記集光部の内周面に接触する外周面を有する形状に設計される。多くの場合、この放光部の、突出部１８Ａを除く形状、つまり放光部本体の形状としては、円柱体及び角柱体を挙げることができる。この放光部の、前記突出部１８Ａとは反対側に位置する後端面は、通常、この放光部の中心軸線に直交する平らな端面に成形されてなる。そして、この放光部における前記後端面は、発光部に接触するように配置されていても良く、また、発光部から僅かに離れるように配置されていても良い。発光部から発光される光を効率良く突出部１８から放射するようにするには、放光部の後端面を発光部に接触させるようにするのが良い。
【００９０】
発光部１８が設置されている適宜の部材の面における発光部１８により占有されていない面であって、集光部で内部領域として区画される面が存在するときには、その面に光反射効率の良い、例えば白色塗料でその面を塗工して反射面を形成しておくのが、好ましい。このような反射面を形成しておくと、発光部から発して放光部に向わない光が、この反射面で反射して、放光部に案内されるから、突出部１８Ａから放射される光の強度が大きくなって、発光部から発する光を全て突出部１８Ａから放出することができるので、効率的である。
【００９１】
前記突出部１８Ａは、筐体２の、取付面とは反対側に形成された平面から突出する部位である。この突出部１８Ａは、筐体２の平面から突出して発光部１８から発せられる光を、前記平面から、この平面に向う全方向に、放射することができるように形成される。そのために、この突出部１８Ａの形状は、半球ドーム状であってもよく、また、多角台形状であっても良い。図２及び図３に示される突出部１８Ａは八角台形状に形成されている。突出部１８Ａが多角台形状、特に八角台形状に形成されていると、この煙感知器２が例えば天井に設置されている場合には、その部屋にいる人たちの目から見ると、クリスタルのように突出部１８Ａが観察され、またその突出部１８Ａから放射される光が見る角度により変化するので、視覚的警報手段として大いにその効果を発揮することができる。
【００９２】
既に説明したように、この発光部、集光部及び放光部を含んで形成される視覚的警報手段は、制御部によってその点灯状態が制御される。
【００９３】
制御部に組み込まれる、発光部を制御するプログラムとして、例えば、この煙感知器１が正常に動作しているときには、発光部を常時点灯状態にしておくように制御信号を出力するプログラム、検知手段例えば受光素子が煙を検知すると、発光部を点滅させることにより突出部１８Ａから放射される光が点滅するように制御信号を出力するプログラム等を挙げることができる。
【００９４】
筐体本体７に取り付けられた煙導入基板２９には、煙導入路天井基板４０が適宜の手段により結合される。
【００９５】
図９に示されるように、この煙導入路天井基板４０は、有底円筒体であり、図５に示されるように、装着開口部５６に嵌め込むことのできる頸部２７と、頸部２７の一端から外側に張り出すようにして設けられるフランジ２８とを有する。なお、煙導入路天井基板４０の、頸部２７が設けられている面とは反対側の面が、内部天井面１１を形成する。図４に示されるように、頸部２７は、装着開口部５６にガタつくことなく嵌め込まれており、着脱自在である。頸部２７には、図４及び図９に示されるように、係止片４０Ａが頸部２７の外側に張り出すように形成される。この係止片４０Ａは、前記頸部２７を装着開口部５６に装着した場合に、係合片５９に係合して取付具５０から煙導入路天井基板４０が脱落することを不能にしている。
【００９６】
なお、図５において、４Ａは環状に、かつ平らに形成された第１流通面であり、４Ｃは第２流通面であり、４Ｂは第１流通面４Ａと第２流通面４Ｃとを連絡する環状の傾斜面である。流通面４において、第１流通面４Ａと第２流通面４Ｃとの間に傾斜面４Ｂを設けることは、筒体部５Ａの開口部である貫通孔３１に到達する外乱光の光量を低減することができるので、好ましい。
【００９７】
図５において、３０で示すのは、煙導入基板２９における周側面部であり、この周側面部３０が筐体本体７の開口部に嵌合している。３４で示すのは電池支持部であり、３５で示すのは聴覚的警報手段取付部であり、スピーカ２２を取り付ける。
【００９８】
以下に、煙感知器１の使用方法及びその作用を説明する。
【００９９】
先ず、煙感知器１を、煙感知器１の取付具５０が設置面８に固定されるように、設置する。このとき、筐体本体７に装着した煙導入基板２９に結合された煙導入路天井基板４０と取付具５０とを分離しておく。
【０１００】
図２、図６〜８に示される取付具５０を、この煙感知器１を設置するべき平らな設置面に配置する。
【０１０１】
図１に示されるように、斜行挿入孔５２に装着ピン５５を圧入する。図６〜８に示される取付具５０にあっては、４箇所の斜行挿入孔５２があるので、４本の装着ピン５５を圧入することにより、この取付具５０を天井に固定することができる。
【０１０２】
次いで、煙導入路天井基板４０における係止片４０Ａを位置決め用切欠部５８に挿入し、次いで、煙導入路天井基板４０を回動させて、前記係止片４０Ａを係合片５９の表面上で移動させる。係合片５９の表面に形成された突起６０を係止片４０Ａが乗り越えると、カチリと小さな音がして係止片４０Ａが係合片５９の基部に落ち着く。この煙導入路天井基板４０を有する筐体本体７を持ってこれを回転させて上記係合片５９に前記係止片４０Ａを係合させようとする操作者は、係止片４０Ａが前記突起６０を通過するときのクリック感を感じ、またわずかにカチリと音がするので、この筐体本体７を取付具５０に確かに装着したことを、確信することができる。実際上、係止片４０Ａが係合片５９に係合することにより、煙感知器１が天井に設置されることとなる。
【０１０３】
煙感知器１が天井に装着された状態では、煙感知器１が設置されている空間例えば部屋などに煙が発生すると、煙は設置面８に沿って流通することが多い。煙が設置面８に沿って流通すると、流入口１０を介して筐体２内に煙が流入する。
【０１０４】
筐体２内に流入した煙は、外側法面１２に沿って筐体２の内部方向に誘導される。更に、煙は、堤頂部１３を越えた後、外側法面１２と内部天井面１１と流通面４とで形成される筐体２の内部領域に向って流通することとなる。煙が堰堤部３を乗り越えることにより、煙の流通方向が乱れる。また、堰堤部３は、筒体部５Ａに配置される検知手段例えば受光素子が外部からの外乱光により誤作動を起こすことの無いように、外乱光を遮光している。
【０１０５】
続いて、堰堤部３を越えて流通する煙は、流通面４を流通することとなる。なお、堰堤部３を乗り越えた後の煙は、流通面４を流通していく途中で徐々にその流速が低下していく。
【０１０６】
次に、流通面４を流通した煙が筒体部５Ａに流入する。筒体部５Ａは凹部であるので、流通面４に沿って流通していた煙は筒体部５Ａ内に流下し易い。なお、流通面４を流通して流速が低下した煙は、筒体部５Ａ内に流下し易い。筒体部５Ａ内に煙が流入すると、受光素子が煙を感知することができる。
【０１０７】
煙感知器１は、受光素子が煙を感知することにより、煙感知器１が設置されている場所に煙が発生していることを、感知することができる。作動部には、煙感知器１が煙の存在を感知した場合に、使用者に煙の存在を報知することができる警報手段が設けられているので、警報手段が警報を発する。視覚的警報手段である放光部における突出部１８Ａが発光することに加えて聴覚的警報手段２２例えばスピーカが警報を発することにより、煙感知器１の設置場所に火災が発生していることが、より一層確実に認識される。
【０１０８】
検知手段例えば受光素子により煙を検知すると、この検知手段から検出信号が制御部に出力される。制御部は、検出信号を入力することにより、煙の発生を判別すると、発光部に制御信号を出力する。発光部は、制御信号の入力により、発光部が発光し、しかも点滅させる。
【０１０９】
発光部から光が放射される。発光部から放射される光の一部が発光部を設置している表面に照射されることがあっても、その表面に反射面を設けているので、その表面に照射された光は反射して放光部内に導かれ、放光部内を導光される。発光部から放射された光が放光部に直接に照射されると、その光は放光部内を導光する。放光部内を導光する光は、放光部と集光部との界面で全反射しつつ突出部１８Ａへと導光される。放光部内を導光された光は、突出部１８Ａから外界へと放射される。
【０１１０】
かくして発光部で発せられた光の全てが放光部内を導光されて突出部１８Ａから外界に放出されるので、大輝度で光放射されるので、この煙感知器１による視覚的警報効果が絶大である。
【０１１１】
この発明の煙感知器は、図面に示した実施態様に限定されることは無く、この発明の目的を達成することができる限り、様々に設計変更が可能である。
【図面の簡単な説明】
【０１１２】
【図１】図１は、この発明の取付具の一例を示す一部切欠断面図である。
【図２】図２は、この発明の煙感知器の一例を示す正面図である。
【図３】図３は、図２に示す煙感知器の底面を示す底面図である。
【図４】図４は、図２に示した煙感知器の平面を示す平面図である。
【図５】図５は、図２におけるＡ−Ａ線で切断し、内部機構を一部省略した状態を示すＡ−Ａ線断面図である。
【図６】図６は、この発明の取付具の一例を、設置面に接する面を見た斜視図である。
【図７】図７は、この発明の取付具の一例を示す正面図である。
【図８】図８は、この発明の取付具の一例を、設置面に接する面とは反対側の面を見た斜視図である。
【図９】図９は、この発明の一例である煙感知器から取付具を取り除いた状態を示す平面図である。
【符号の説明】
【０１１３】
１        煙感知器
２        筐体
３        堰堤部
４        流通面
４Ａ      第１流通面
４Ｂ      傾斜面
４Ｃ      第２流通面
５Ａ      筒体部
７        筐体本体
８        設置面
９        作動部
１０      流入口
１１      内部天井面
１２      外側法面
１３      堤頂部
１４      内側法面
１７      底面部
１８      視覚的警報手段
１８Ａ    突出部
１９      櫛歯列
２０      溝部
２１      切欠部
２２      聴覚的警報手段
２３      押ボタン
２７      頸部
２８      フランジ
２９      煙導入基板
３０      周側面部
３１      貫通孔
３３      電池
３４      電池支持部
３５      聴覚的警報手段取付部
４０      煙導入路天井基板
４０Ａ    係止片
５０      取付具
５１      設置面接触硬質部材
５２      斜行挿入孔
５３      弾性部材
５４      切欠凹部
５５      装着ピン
５６      装着開口部
５７      設置面接触硬質部材
５８      位置決め切欠部
５９      係合片
６０      突起
６１      弾性部材装着用切欠部
６２      弾性部材
６３      斜行挿入孔
【図１】
0005187830.tif 000002
【図２】
0005187830.tif 000003
【図３】
0005187830.tif 000004
【図４】
0005187830.tif 000005
【図５】
0005187830.tif 000006
【図６】
0005187830.tif 000007
【図７】
0005187830.tif 000008
【図８】
0005187830.tif 000009
【図９】
0005187830.tif 000010